(57)【要約】【課題】低コストで照明光の色を簡単に選択することができる。【解決手段】紫外線発光素子１５と、この紫外線発光素子１５の光が個別に照射される複数の照射領域ごとに異なる色の光を発光する複数の発光部１６ａ〜１６ｄおよび光透過部１６ｅを有する多色フィルタ部材１６と、この多色フィルタ部材１６を紫外線発光素子１５に対し相対的に移動させる移動機構とを備えた。従って、紫外線発光素子１５の光が多色フィルタ部材１６の各発光部１６ａ〜１６ｄのいずれかに照射されると、そのいずれかの発光部１６ａ〜１６ｄが特定色の光で発光する。この状態で、移動機構によって多色フィルタ部材１６を移動させると、紫外線発光素子１５の光が他の発光部１６ａ〜１６ｄのいずれかに照射されて異なる色の光を発光するので、発光色の異なる複数の発光素子を用いなくても、低コストで照明光の色を簡単に選択することができる。【選択図】        図３
2004184196.tif 000002
【特許請求の範囲】
【請求項１】
発光素子と、
この発光素子の光がそれぞれ個別に照射される複数の照射領域を有し、これら複数の照射領域ごとに異なる色の光を放出する多色フィルタ部材と、
この多色フィルタ部材を前記発光素子に対し相対的に移動させて、前記発光素子の光が照射される前記多色フィルタ部材の前記照射領域を選択する移動機構と
を備えたことを特徴とする多色照明装置。
【請求項２】
前記発光素子は、紫外線領域の光を発光する紫外線発光素子であり、前記多色フィルタ部材は、前記複数の照射領域ごとにそれぞれ紫外線領域の光に反応して異なる色の光を発光する複数の発光部を備えていることを特徴とする請求項１に記載の多色照明装置。
【請求項３】
前記多色フィルタ部材は、前記複数の照射領域ごとにそれぞれ紫外線領域の光に反応して異なる色の光を発光する前記複数の発光部のほかに、紫外線領域の光をそのまま透過する光透過部を備え、前記多色フィルタ部材の光放出側には、紫外線領域の光に反応して可視光線領域内の光を発光する表示発光部を備えた表示部材が配置されていることを特徴とする請求項２に記載の多色照明装置。
【請求項４】
前記多色フィルタ部材はリング状に形成されていることを特徴とする請求項１〜３のいずれかに記載の多色照明装置。
【請求項５】
前記移動機構は、前記多色フィルタ部材の外周に沿って設けられたリング状の歯車部と、この歯車部に噛み合って回転する小歯車が設けられた回転操作子とを備えていることを特徴とする請求項４に記載の多色照明装置。
【請求項６】
前記移動機構は、リング状の回転体と、この回転体と前記多色フィルタ部材とを磁力によって互いに引き寄せ合う磁性部材とを備えていることを特徴とする請求項４に記載の多色照明装置。
【請求項７】
前記移動機構は、前記多色フィルタ部材の下面に設けられた超音波モータを備えていることを特徴とする請求項４に記載の多色照明装置。
【請求項８】
請求項１に記載の多色照明装置を収納する機器ケースを備え、この機器ケース内における前記多色照明装置の光放出側に表示部材を前記機器ケースの窓部に対応させて配置したことを特徴とする電子機器。
【発明の詳細な説明】
【０００１】
【発明の属する技術分野】
この発明は、腕時計、携帯電話機、自動車の計器類などの各種の機器に適用して有用な多色照明装置およびそれを用いた電子機器に関する。
【０００２】
【従来の技術】
例えば、腕時計においては、腕時計ケース内の所定個所に、人間の目に見える可視光線領域の光を発光する発光ダイオード（ＬＥＤ）などのランプを設け、暗い所でランプを点灯させて文字板や指針などの表示部材を照明することにより、暗い所でも時刻を知ることができるようしたものがある（例えば、特許文献１参照。）。
【０００３】
【特許文献１】
特開２００２−０２２８４９
【０００４】
この種の腕時計では、文字板の１２時と６時の位置に飾り部材を設け、この飾り部材の裏面にＬＥＤをそれぞれ配置すると共に、文字板と一体に設けられた導光板の裏面に文字板面で波状の装飾を呈する複数の凸部を設けることにより、この導光板の複数の凸部によってＬＥＤからの光が文字板の正面に照射される面積を拡大し、照明の視認性を高めている。
【０００５】
【発明が解決しようとする課題】
しかしながら、このような腕時計では、導光板の複数の凸部によってＬＥＤからの光が文字板の正面に照射される面積を拡大し、照明の視認性を高めているので、暗い所で鮮明に時刻を知ることはできても、ランプが主に単色光、例えば白色系の光を発光するだけであるから、色彩性に欠けるという問題がある。
【０００６】
なお、このような問題を解決するために、例えば腕時計ケース内の複数個所にそれぞれ発光色の異なるランプを設け、これらランプを適宜選択して点灯させることにより、複数の異なる発光色で照明するようにしたものもある。しかし、このような腕時計では、発光色の異なる複数のランプが必要となるため、コストが高くなるばかりか、複数の発光色を組み合わせるための駆動回路が必要となり、これによってもコスト高になるという問題がある。
【０００７】
この発明の課題は、低コストで照明光の色を簡単に選択でき、これにより色彩性および装飾性の高いものが得られるようにすることである。
【０００８】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図１１に示すように、発光素子（紫外線発光素子１５）と、この発光素子の光がそれぞれ個別に照射される複数の照射領域（発光部１６ａ〜１６ｄおよび光透過部１６ｅ）を有し、これら複数の照射領域ごとに異なる色の光を放出する多色フィルタ部材（１６）と、この多色フィルタ部材を前記発光素子に対し相対的に移動させて、前記発光素子の光が照射される前記多色フィルタ部材の前記照射領域を選択する移動機構（１７）とを備えたことを特徴とする多色照明装置（５、４７）である。
【０００９】
この発明によれば、発光素子を発光させると、その光が多色フィルタ部材の複数の照射領域のいずれかに照射され、この照射された領域に応じた色の光を放出するので、この放出された色の光で照明することができると共に、移動機構によって多色フィルタ部材を発光素子に対し相対的に移動させることにより、発光素子からの光が多色フィルタ部材の他の照射領域に照射されるので、異なる色の光を放出することができ、このため従来例のように発光色の異なる複数の発光素子を用いなくても、低コストで照明光の色を簡単に選択することができ、これにより色彩性および装飾性の高いものを得ることができる。
【００１０】
請求項２に記載の発明は、図１〜図１１に示すように、前記発光素子が、紫外線領域の光を発光する紫外線発光素子（１５）であり、前記多色フィルタ部材（１６）が、前記複数の照射領域ごとにそれぞれ紫外線領域の光に反応して異なる色の光を発光する複数の発光部（１６ａ〜１６ｄ）を備えていることを特徴とする請求項１に記載の多色照明装置（５、４７）である。
この発明によれば、紫外線発光素子を発光させて紫外線領域の光が多色フィルタ部材の複数の発光部のいずれかに照射されると、その照射された領域の発光部が紫外線領域の光に反応して特定色の光つまり特定波長の光を発光するので、この発光した特定色の光で照明することができると共に、移動機構によって多色フィルタ部材を発光素子に対し相対的に移動させることにより、発光素子からの光が多色フィルタ部材の他の照射領域の発光部に照射され、この発光部が紫外線領域の光に反応して上記と異なる色の光を発光するので、この異なる色の光で照明することができる。
【００１１】
請求項３に記載の発明は、図１〜図１１に示すように、前記多色フィルタ部材（１６）が、前記複数の照射領域ごとにそれぞれ紫外線領域の光に反応して異なる色の光を発光する前記複数の発光部（１６ａ〜１６ｄ）のほかに、紫外線領域の光をそのまま透過する光透過部（１６ｅ）を備え、前記多色フィルタ部材の光放出側に、紫外線領域の光に反応して可視光線領域内の光を発光する表示発光部（１４）を備えた表示部材（文字板１１および指針１２、または液晶表示素子３１）が配置されていることを特徴とする請求項２に記載の多色照明装置（５、４７）である。
この発明によれば、請求項２に記載の発明と同様の作用効果があるほか、特に移動機構により多色フィルタ部材を発光素子に対し相対的に移動させて、紫外線発光素子からの紫外線領域の光が多色フィルタ部材の光透過部に照射されると、この光透過部を紫外線領域の光がそのまま透過して表示部材に照射されるので、この表示部材に設けられた表示発光部が紫外線領域の光に反応して可視光線領域の光を発光し、これにより表示部材の表示発光部のみを発光させることができる。
【００１２】
請求項４に記載の発明は、図３に示すように、前記多色フィルタ部材（１６）がリング状に形成されていることを特徴とする請求項１〜３のいずれかに記載の多色照明装置である。
この発明によれば、多色フィルタ部材をリング状に形成したので、この多色フィルタ部材を移動機構で移動させるときに、多色フィルタ部材の中心部を中心に回転移動させることができ、このため多色フィルタ部材の各照射領域を同じ移動軌跡上で移動させることができ、これにより多色フィルタ部材および発光素子をコンパクトに設置することができる。
【００１３】
請求項５に記載の発明は、図５に示すように、前記移動機構（１７）が、前記多色フィルタ部材（１６）の外周に沿って設けられたリング状の歯車部（１８）と、この歯車部に噛み合って回転する小歯車（１９）が設けられた回転操作子（リューズ８）とを備えていることを特徴とする請求項４に記載の多色照明装置である。
この発明によれば、多色フィルタ部材の外周に沿って設けられたリング状の歯車部に回転操作子の小歯車が噛み合っているので、回転操作子を回転操作して小歯車を回転させると、この小歯車の回転に伴って歯車部が回転移動して多色フィルタ部材を回転移動させることができ、これにより容易に照明光の色を選択することができる。
【００１４】
請求項６に記載の発明は、図６に示すように、前記移動機構（２０）が、リング状の回転体（回転ベゼル２）と、この回転体と前記多色フィルタ部材（１６）とを磁力によって互いに引き寄せ合う磁性部材（磁石２１、磁性材２２）とを備えていることを特徴とする請求項４に記載の多色照明装置である。
この発明によれば、リング状の回転体とリング状の多色フィルタ部材とが磁性部材の磁力によって互いに引き寄せ合うので、回転体と多色フィルタ部材とが接触せずに互いに離れていても、回転体を回転操作すると、その回転体の回転に伴って多色フィルタ部材を磁力によって回転移動させることができ、これにより容易に照明光の色を選択することができる。
【００１５】
請求項７に記載の発明は、図７に示すように、前記移動機構（２５）が、前記多色フィルタ部材（１６）の下面に設けられた超音波モータ（２６）を備えていることを特徴とする請求項４に記載の多色照明装置である。
この発明によれば、多色フィルタ部材の下面に設けられた超音波モータを駆動することにより、多色フィルタ部材を回転移動させることができ、これにより容易に照明光の色を選択することができる。
【００１６】
請求項８に記載の発明は、図１〜図１１に示すように、請求項１に記載の多色照明装置（５、４７）を収納する機器ケース（腕時計ケース１、機器ケース４０）を備え、この機器ケース内における前記多色照明装置の光放出側に表示部材（文字板１１および指針１２、または液晶表示素子３１）を前記機器ケースの窓部（時計ガラス３、保護ガラス４３）に対応させて配置したことを特徴とする電子機器である。
この発明によれば、請求項１に記載の発明と同様、多色照明装置によって照明光の色を適宜選択して表示部材を照明することができるので、従来例のように発光色の異なる複数の発光素子を用いる必要がなく、低コストで照明光の色を簡単に選択することができ、これにより色彩性および装飾性の高いものを得ることができる。
【００１７】
【発明の実施の形態】
［第１実施形態］
以下、図１〜図５を参照して、この発明を指針式の腕時計に適用した第１実施形態について説明する。
図１はこの発明の指針式の腕時計を示した要部の正面図、図２はそのＡ−Ａ矢視における拡大断面図である。この指針式の腕時計は、図１および図２に示すように、合成樹脂製の腕時計ケース１を備えている。この腕時計ケース１の上部外周には、回転ベゼル２が回転可能に取り付けられていると共に、腕時計ケース１の上部中央には、時計ガラス３がパッキン３ａを介して装着されている。また、この腕時計ケース１の内部には、図２に示すように、時計モジュール４および多色照明装置５が収納されており、腕時計ケース１の下部には、裏蓋６が防水リング７を介して取り付けられている。さらに、この腕時計ケース１の３時側の側面には、図１に示すように、リューズ８が設けられている。
【００１８】
時計モジュール４は、アナログ機能とデジタル機能のうち、少なくともアナログ機能を備えたものであり、図２に示すように、ハウジング９に設けられたアナログムーブメント（図示せず）の指針軸１０が文字板１１の貫通孔１１ａを通してその上方に突出し、この突出した指針軸１０の上端部に時針、分針、秒針などの指針１２が取り付けられ、この指針１２が文字板１１の上方を運針するように構成されている。この場合、文字板１１および指針１２が時刻を表示する表示部材を構成している。また、文字板１１の上面には、時字１３が周縁部に沿って所定間隔で設けられており、この文字板１１の時字１３および指針１２には、紫外線領域の光に反応して可視光線領域の光を発光する表示発光部１４が設けられている。
【００１９】
多色照明装置５は、図３〜図５に示すように、紫外線領域の光を発光する紫外線発光素子１５と、この紫外線発光素子１５で発光した紫外線領域の光が照射される多色フィルタ部材１６と、この多色フィルタ部材１６を紫外線発光素子１５に対し相対的に移動させる移動機構１７とを備えている。この場合、紫外線発光素子１５は、波長が３６５〜３８５ｎｍ（ナノメートル：ナノメートルは１０億分の１メートル）の紫外線領域の光を発光する紫外線発光ダイオード（ＬＥＤ）または紫外線灯などの発光素子で構成され、図２に示すように、ハウジング９上における外周部の所定個所、例えば対角線上に位置する１２時と６時とに対応する個所に設けられている。
【００２０】
多色フィルタ部材１６は、図２に示すように、時計ガラス３の外周部の下側に位置する腕時計ケース１とハウジング９との間に回転移動可能に配置されたリング状の見切り部材であり、紫外線発光素子１５で発光した光が個別に照射される複数の照射領域を有し、これら複数の照射領域ごとに異なる色の光を発光する複数の発光部１６ａ〜１６ｄおよび光透過部１６ｅが順次設けられた構造になっている。これら発光部１６ａ〜１６ｄは、紫外線領域の光が照射されると、その紫外線領域の光に反応して人間の目に見える可視光線領域のうち、それぞれ異なる特定波長の単色光を発光するように構成されており、光透過部１６ｅは紫外線領域の光を透過するように構成されている。
【００２１】
例えば、発光部１６ａは紫外線領域の光に反応して赤波長の光を発光し、発光部１６ｂは紫外線領域の光に反応して黄波長の光を発光し、発光部１６ｃは紫外線領域の光に反応して緑波長の光を発光し、発光部１６ｄは紫外線領域の光に反応して青波長の光を発光するように構成されている。また、光透過部１６ｅは、紫外線領域の光をそのまま透過するものであり、発光部１６ｂと発光部１６ｃとの間に設けられている。この場合、複数の発光部１６ａ〜１６ｄおよび光透過部１６ｅは、図３に示すように、紫外線発光素子１５が対角線上に配置されていることにより、これに伴ってそれぞれ２組みずつ対角線上に互いに対向して設けられている。
【００２２】
移動機構１７は、図４に示すように、多色フィルタ部材１６の下面に設けられたリング状の歯車部１８と、この歯車部１８に噛み合って回転する小歯車１９が設けられた回転操作子であるリューズ８とで構成されている。この場合、リューズ８は、その操作軸８ａが腕時計ケース１に回転自在に取り付けられ、その外端部が腕時計ケース１の側面から外部に突出し、この突出した部分に操作頭部８ｂが設けられていると共に、操作軸８ａの内端部が腕時計ケース１の内部に突出し、この突出した内端部に小歯車１９がリング状の歯車部１８に噛み合った状態で取り付けられている。また、歯車部１８は、多色フィルタ部材１６の下面に一体的に設けられ、これにより多色フィルタ部材１６と共に回転移動するように構成されている。これにより、移動機構１７は、リューズ８を回転操作して小歯車１９を回転させると、この小歯車１９の回転に伴って歯車部１８が多色フィルタ部材１６の中心部を中心に回転して多色フィルタ部材１６を回転移動させるように構成されている。
【００２３】
このような指針式の腕時計によれば、移動機構１７のリューズ８を回転操作すると、リューズ８の小歯車１９が多色フィルタ部材１６に設けられた歯車部１８に噛み合って回転するので、この小歯車１９の回転に応じて歯車部１８が多色フィルタ部材１６の中心部を中心に回転し、この歯車部１８の回転に伴って多色フィルタ部材１６が紫外線発光素子１５に対し回転移動する。これにより、多色フィルタ部材１６の複数の発光部１６ａ〜１６ｄおよび光透過部１６ｅのいずれかを紫外線発光素子１５に順次対応させることができる。
【００２４】
このため、暗い所で紫外線発光素子１５を発光させると、人間の目に見えない紫外線領域の光が多色フィルタ部材１６の複数の発光部１６ａ〜１６ｄおよび光透過部１６ｅのいずれかに照射される。これにより、紫外線領域の光が照射された発光部１６ａ〜１６ｄのいずれかが紫外線領域の光に反応して人間の目に見える可視光線領域内の特定色の光つまり特定波長の光を発光するので、この発光した特定色の光で文字板１１および指針１２を照明することができ、また光透過部１６ｅに照射された紫外線領域の光はそのまま透過して文字板１１および指針１２に照射される。
【００２５】
例えば、移動機構１７のリューズ８を回転操作して多色フィルタ部材１６の発光部１６ａを紫外線発光素子１５に対応させると、紫外線発光素子１５で発光した紫外線領域の光が発光部１６ａに照射されるので、この発光部１６ａが紫外線領域の光に反応して赤波長の光を発光し、この赤色の光で文字板１１および指針１２を照明することができる。同様に、多色フィルタ部材１６の発光部１６ｂを紫外線発光素子１５に対応させると、紫外線発光素子１５で発光した紫外線領域の光が発光部１６ｂに照射されるので、この発光部１６ｂが紫外線領域の光に反応して黄波長の光を発光する。また、多色フィルタ部材１６の発光部１６ｃを紫外線発光素子１５に対応させると、この発光部１６ｃが紫外線領域の光に反応して黄波長の光を発光する。さらに、多色フィルタ部材１６の発光部１６ｄを紫外線発光素子１５に対応させると、この発光部１６ｄが紫外線領域の光に反応して青波長の光を発光する。これにより、各発光部１６ａ〜１６ｄのいずれの色の光で文字板１１および指針１２を照明することができるので、暗い所でも時刻を知ることができる。
【００２６】
また、移動機構１７のリューズ８を回転操作して多色フィルタ部材１６の光透過部１６ｅを紫外線発光素子１５に対応させると、紫外線発光素子１５で発光した紫外線領域の光が多色フィルタ部材１６の光透過部１６ｅに照射されるので、この照射された紫外線領域の光が光透過部１６ｅをそのまま透過して表示部材である文字板１１および指針１２に照射される。このため、文字板１１の時字１３および指針１２に設けられた表示発光部１４が紫外線領域の光に反応して可視光線領域の光を発光するので、文字板１１の時字１３および指針１２に設けられた表示発光部１４のみを発光させることができ、これにより暗い所でも時刻を知ることができる。
【００２７】
このように、この指針式の腕時計によれば、紫外線発光素子１５を発光させて、紫外線領域の光が多色フィルタ部材１６の複数の発光部１６ａ〜１６ｄのいずれかに照射されると、この照射された発光部１６ａ〜１６ｄのいずれかが紫外線領域の光に反応して特定色の光を発光するので、この発光した特定色の光で文字板１１および指針１２を照明することができると共に、移動機構１７によって多色フィルタ部材１６を紫外線発光素子１５に対し相対的に移動させることにより、紫外線発光素子１５からの光が多色フィルタ部材１６の他の発光部１６ａ〜１６ｄに照射されるので、異なる色の光を発光させることができる。このため、従来例のように発光色の異なる複数の発光素子を用いる必要がないので、低コストで照明光の色を簡単に選択することができ、これにより色彩性および装飾性の高いものを得ることができる。
【００２８】
この場合、特に多色フィルタ部材１６の光透過部１６ｅを紫外線発光素子１５に対応させたときには、紫外線発光素子１５からの紫外線領域の光が多色フィルタ部材１６の光透過部１６ｅをそのまま透過して文字板１１および指針１２に照射され、この文字板１１の時字１３および指針１２に設けられた表示発光部１４が紫外線領域の光に反応して可視光線領域の光を発光するので、文字板１１の時字１３および指針１２の各表示発光部１４のみを発光させることができ、これによっても装飾性の高いものを得ることができる。また、この移動機構１７は、多色フィルタ部材１６がリング状に形成されているので、この多色フィルタ部材１６を移動機構１７で移動させるときに、多色フィルタ部材１６の中心部を中心に回転移動させることができ、このため多色フィルタ部材１６の各照射領域を同じ移動軌跡上で移動させることができ、これにより多色フィルタ部材１６および紫外線発光素子１５を腕時計ケース１内にコンパクトに設置することができる。
【００２９】
なお、上記第１実施形態では、移動機構１７が、リューズ８に設けられた小歯車１９を多色フィルタ部材１６に設けられた歯車部１８に噛み合わせた構成になっているが、これ限らず、例えば図６または図７に示すように構成しても良い。すなわち、図６に示された第１変形例の移動機構２０は、腕時計ケース１の上部外周に回転可能に設けられたリング状の回転ベゼル２と、この回転ベゼル２内に埋め込まれたリング状の磁石２１と、多色フィルタ部材１６の上面に設けられたリング状の磁性材２２とを備えた構成になっている。このような移動機構２０では、回転ベゼル２の磁石２１と多色フィルタ部材１６の磁性材２２とが磁力によって互いに引き寄せ合うので、回転ベゼル２と多色フィルタ部材１６とが接触せずに互いに離れていても、回転ベゼル２を回転操作することにより、その回転に伴って多色フィルタ部材１６を磁力によって回転移動させることができ、これによっても容易に照明光の色を選択することができる。
【００３０】
また、図７に示された第２変形例の移動機構２５は、多色フィルタ部材１６の下面に超音波モータ２６を設けた構造になっている。この超音波モータ２６は、多色フィルタ部材１６の下面に設けられたリング状のステータ２７と、このステータ２７の下面に配置されたリング状のピエゾ素子２８と、このピエゾ素子２８に電気的に接続されたモータドライバ２９とを備えた構成になっている。このような移動機構２５では、モータドライバ２９でピエゾ素子２８を駆動して超音波振動させると、その超音波振動によってステータ２７が回転するので、このステータ２７の回転に伴って多色フィルタ部材１６を回転移動させることができ、これによっても容易に照明光の色を選択することができる。
【００３１】
［第２実施形態］
次に、図８および図９を参照して、この発明をデジタル式の腕時計に適用した第２実施形態について説明する。なお、図１〜図５に示された第１実施形態と同一部分には同一符号を付して説明する。
このデジタル式の腕時計は、腕時計ケース１内に収納された時計モジュール３０がデジタル機能を備えた構造で、これ以外は第１実施形態とほぼ同じ構造になっている。すなわち、この時計モジュール３０は、文字板１１および指針１２からなる表示部材に代えて、液晶表示素子３１を表示部材としてハウジング９上に設けた構造になっている。
【００３２】
この液晶表示素子３１は、図９に示すように、上下一対の透明な電極基板３２、３３間に液晶（図示せず）を封入し、上側の電極基板３２の上面および下側の電極基板３３の下面にそれぞれ偏光板３４、３５を設け、下側の偏光板３５の下面に反射板３６を設けてなり、一対の電極基板３２、３３間に選択的に電圧を印加することにより、時刻などの情報を電気光学的に表示するように構成されている。この場合にも、液晶表示素子３１の上面、つまり上側の偏光板３４の上面には、第１実施形態と同様、表示発光部１４が表示領域を除いて設けられている。
【００３３】
また、この腕時計ケース１内にも、第１実施形態と同様、多色照明装置５が設けられている。この多色照明装置５は、紫外線領域の光を発光する紫外線発光素子１５と、この紫外線発光素子１５で発光した紫外線領域の光が照射される多色フィルタ部材１６と、この多色フィルタ部材１６を紫外線発光素子１５に対して相対的に移動させる移動機構１７とを備えている。紫外線発光素子１５は、図９に示すように、ハウジング９上における外周部の所定個所、例えば対角線上に位置する１２時と６時とに対応する個所に設けられている。
【００３４】
多色フィルタ部材１６は、図９に示すように、の外周部の下側に位置する腕時計ケース１とハウジング９との間に回転可能に配置されたリング状の見切り部材であり、紫外線発光素子１５で発光した光が照射される複数の照射領域ごとに異なる色の光を発光する複数の発光部１６ａ〜１６ｄおよび光透過部１６ｅが順次設けられた構造になっている。移動機構１７は、第１実施形態と同様、多色フィルタ部材１６の下面に設けられたリング状の歯車部１８と、この歯車部１８に噛み合って回転する小歯車１９が設けられたリューズ８とを備え、このリューズ８の回転操作に応じて小歯車１９が歯車部１８に噛み合った状態で回転することにより、この小歯車１９の回転に伴って歯車部１８が多色フィルタ部材１６と共に回転移動するように構成されている。
【００３５】
このようなデジタル式の腕時計によれば、第１実施形態と同様、移動機構１７のリューズ８を回転操作すると、このリューズ８の小歯車１９が回転して歯車部１８を回転移動させることにより、多色フィルタ部材１６を紫外線発光素子１５に対して回転移動させることができ、これにより多色フィルタ部材１６の複数の発光部１６ａ〜１６ｄおよび光透過部１６ｅのいずれかを紫外線発光素子１５に順次対応させることができるので、照明光の色を適宜選択することができる。このため、暗い所で紫外線発光素子１５を発光させて、人間の目に見えない紫外線領域の光が多色フィルタ部材１６の複数の発光部１６ａ〜１６ｄのいずれかに照射されると、この照射された発光部１６ａ〜１６ｄのいずれかが紫外線領域の光に反応して人間の目に見える可視光線領域内の特定色の光つまり特定波長の光を発光するので、この発光した特定色の光で液晶表示素子３１を照明することができ、これにより暗い所でも時刻を視認することができる。
【００３６】
すなわち、特定色の照明光が液晶表示素子３１の上面側から照射されると、この照射された特定色の光が上側の偏光板３４、上下一対の電極基板３２、３３、および下側の偏光板３５を透過して反射板３６で反射され、この反射された光が上記と逆の光路を経て時計ガラス３から外部に放出されるので、特定色の光で液晶表示素子３１に表示された時刻などの情報を視認することができる。この場合、多色フィルタ部材１６の光透過部１６ｅが紫外線発光素子１５に対応すると、紫外線発光素子１５で発光した紫外線領域の光が多色フィルタ部材１６の光透過部１６ｅをそのまま透過して液晶表示素子３１に照射されるので、この液晶表示素子３１の上面に設けられた表示発光部１４が紫外線領域の光に反応して可視光線領域の光を発光するので、液晶表示素子３１に設けられた表示発光部１４のみを発光させることができる。
【００３７】
このように、このデジタル式の腕時計においても、第１実施形態と同様、多色照明装置５の紫外線発光素子１５を発光させて多色フィルタ部材１６の複数の発光部１６ａ〜１６ｄのいずれかを特定色の光で発光させることができ、これにより液晶表示素子３１を照明することができると共に、移動機構１７によって多色フィルタ部材１６を紫外線発光素子１５に対し移動させることにより、多色フィルタ部材１６の他の発光部１６ａ〜１６ｄを選択することができる。このため、従来例のように発光色の異なる複数の発光素子を用いなくても、低コストで照明光の色を簡単に選択することができ、これにより色彩性および装飾性の高いものを得ることができる。特に、多色フィルタ部材１６の光透過部１６ｅを紫外線発光素子１５に対応させると、紫外線発光素子１５からの紫外線領域の光が液晶表示素子３１に照射されるので、液晶表示素子３１の表示発光部１４のみを発光させることもでき、これによっても装飾性の高いものを得ることができる。
【００３８】
［第３実施形態］
次に、図１０および図１１を参照して、この発明を携帯電話機に適用した第３実施形態について説明する。この場合には、図８および図９に示された第２実施形態および図７に示された第２変形例と同一部分に同一符号を付して説明する。
この携帯電話機は、図１０に示すように、合成樹脂製の機器ケース４０を備えている。この機器ケース４０は、上ケース４１と下ケース４２とを接合した構造になっている。この場合、上ケース４１の上面における上部側には開口部が設けられ、この開口部には窓部に相当する円板状の透明な保護ガラス４３が装着されており、この上ケース４１の上面における下部側には、電話機能に必要な各種のキー釦４４が設けられている。また、この機器ケース４０の上端面には、アンテナ４５が出没可能に取り付けられている。
【００３９】
この機器ケース４０の内部には、図１１に示すように、携帯電話機用のモジュール４６および多色照明装置４７が収納されている。携帯電話機用のモジュール４６は、携帯電話機能に必要な各種の部品を備えたものであり、ハウジング４８に電話に必要な情報を表示する液晶表示素子３１が保護ガラス４３に対応して設けられている。また、多色照明装置４７は、紫外線領域の光を発光する紫外線発光素子１５と、この紫外線発光素子１５で発光した紫外線領域の光が照射される多色フィルタ部材１６と、この多色フィルタ部材１６を紫外線発光素子１５に対して相対的に移動させる移動機構２５とを備えている。紫外線発光素子１５は、図１１に示すように、液晶表示素子３１上における外周部の所定個所、例えば液晶表示素子３１の左右両側に設けられている。また、液晶表示素子３１の上面にも、第２実施形態と同様、表示発光部１４が設けられている。
【００４０】
多色フィルタ部材１６は、図１１に示すように、保護ガラス４３の外周部に位置する機器ケース４０とハウジング４８との間に回転移動可能に配置されたリング状の見切り部材であり、紫外線発光素子１５で発光した光が照射される複数の照射領域ごとに異なる色の光を発光する複数の発光部１６ａ〜１６ｄおよび光透過部１６ｅが順次設けられた構造になっている。移動機構２５は、図７に示された第２変形例と同様、多色フィルタ部材１６の下面に超音波モータ２６を設けた構造になっている。この超音波モータ２６は、図７に示すように、多色フィルタ部材１６の下面に設けられたリング状のステータ２７と、このステータ２７の下面に配置されたリング状のピエゾ素子２８と、このピエゾ素子２８に電気的に接続されたモータドライバ２９とを備え、モータドライバ２９でピエゾ素子２８を駆動して超音波振動させ、その超音波振動によってステータ２７が回転することにより、多色フィルタ部材１６を回転移動させるように構成されている。
【００４１】
このような携帯電話機によれば、移動機構２５のモータドライバ２９でピエゾ素子２８を駆動して超音波振動させると、その超音波振動によってステータ２７が回転することにより、多色フィルタ部材１６を回転移動させることができ、これにより多色フィルタ部材１６の複数の発光部１６ａ〜１６ｄおよび光透過部１６ｅのいずれかを紫外線発光素子１５に順次対応させることができるので、照明光の色を適宜選択することができる。このため、暗い所で紫外線発光素子１５を発光させて、人間の目に見えない紫外線領域の光が多色フィルタ部材１６の複数の発光部１６ａ〜１６ｄのいずれかに照射されると、この照射された発光部１６ａ〜１６ｄのいずれかが紫外線領域の光に反応して人間の目に見える可視光線領域内の特定色の光つまり特定波長の光を発光するので、この発光した特定色の光で液晶表示素子３１を照明することができ、これにより暗い所でも液晶表示素子３１に表示された情報を視認することができる。
【００４２】
すなわち、特定色の照明光が液晶表示素子３１の上面側から照射されると、この照射された特定色の光が上側の偏光板３４、上下一対の電極基板３２、３３、および下側の偏光板３５を透過して反射板３６で反射され、この反射された光が上記と逆の光路を経て保護ガラス４３から外部に放出されるので、特定色の光によって液晶表示素子３１に表示された情報を視認することができる。この場合、多色フィルタ部材１６の光透過部１６ｅが紫外線発光素子１５に対応すると、紫外線発光素子１５で発光した紫外線領域の光が多色フィルタ部材１６の光透過部１６ｅをそのまま透過して液晶表示素子３１に照射されるので、この液晶表示素子３１の上面に設けられた表示発光部１４が紫外線領域の光に反応して可視光線領域の光を発光するので、液晶表示素子３１に設けられた表示発光部１４のみを発光させることができる。
【００４３】
このように、この携帯電話機においても、第２実施形態と同様、多色照明装置４７の紫外線発光素子１５を発光させて多色フィルタ部材１６の複数の発光部１６ａ〜１６ｄのいずれかを特定色の光で発光させることができ、これにより液晶表示素子３１を照明することができると共に、移動機構２５によって多色フィルタ部材１６を紫外線発光素子１５に対し移動させることにより、多色フィルタ部材１６の他の発光部１６ａ〜１６ｄのいずれかを選択することができる。このため、従来例のように発光色の異なる複数の発光素子を用いなくても、低コストで照明光の色を簡単に選択することができ、これにより色彩性および装飾性の高いものを得ることができる。また、多色フィルタ部材１６の光透過部１６ｅを紫外線発光素子１５に対応させると、紫外線発光素子１５からの紫外線領域の光が液晶表示素子３１に照射されるので、液晶表示素子３１の表示発光部１４のみを発光させることもでき、これによっても装飾性の高いものを得ることができる。
【００４４】
なお、上記２実施形態では、移動機構として、リューズ８に設けられた小歯車１９と多色フィルタ部材１６に設けられた歯車部１８とを噛み合わせた構造の移動機構１７を用い、また第３実施形態では、移動機構として、超音波モータ２７を備えた構造の移動機構２５を用いた場合について述べたが、これに限らず、その両者の移動機構１７、２５のいずれか一方を用いれば良く、また移動機構として、図６に示された第１変形例と同様、回転ベゼルなどの回転体に磁石を埋め込み、多色フィルタ部材１６に磁性材を設け、これら磁石と磁性材とがその磁力によって相互に引き寄せ合うことにより、回転体の回転に伴って多色フィルタ部材１６を回転移動させる構造の移動機構２０を用いても良い。
【００４５】
また、上記第１〜第３実施形態およびその各変形例では、発光素子として、紫外線発光素子１５を用い、多色フィルタ部材として、紫外線領域の光に反応して可視光線領域の異なる色の光を発光する複数の発光部１６ａ〜１６ｄを配列した多色フィルタ部材１６を用いたが、これに限らず、発光素子として、白色光を発光する発光ダイオードなどの発光素子を用い、多色フィルタ部材として、白色光のうち、異なる特定波長の光を透過する複数の発光部を配列した多色フィルタ部材を用いた構造でも良い。この場合にも、多色フィルタ部材１６に光透過部を設けても良い。このような構造でも、多色フィルタ部材の各発光部がそれぞれ異なる色の光を放出するので、第１〜第３実施形態と同様の作用効果がある。
【００４６】
さらに、上記第１〜第３実施形態およびその各変形例では、移動機構１７、２０、２５で多色フィルタ部材１６、４７を回転移動させるように構成したが、これに限らず、例えば、紫外線発光素子１５などの発光素子を移動機構１７、２０、２５で多色フィルタ部材１６、４７の外周面に沿って移動させるように構成ても良い。
なおまた、上記第１〜第３実施形態およびその各変形例では、腕時計または携帯電話機に適用した場合について述べたが、これに限らず、例えば電子手帳、電子辞書、携帯端末機、パーソナルコンピュータ、印刷機などの各種の電子機器、または自動車の計器類などの各種機器、あるいはそれらの各部品に広く適用することができる。
【００４７】
【発明の効果】
以上説明したように、この発明によれば、発光素子と、この発光素子の光がそれぞれ個別に照射される複数の照射領域ごとに異なる色の光を放出する多色フィルタ部材と、この多色フィルタ部材を発光素子に対し相対的に移動させる移動機構とを備えていることにより、発光素子を発光させると、その光が多色フィルタ部材の複数の照射領域のいずれかに照射され、この照射された領域に応じた色の光を放出するので、この放出された色の光で照明することができると共に、移動機構によって多色フィルタ部材を発光素子に対し相対的に移動させることにより、発光素子からの光が多色フィルタ部材の他の照射領域に照射されるので、異なる色の光を放出することができ、このため従来例のように発光色の異なる複数の発光素子を用いなくても、低コストで照明光の色を簡単に選択することができ、これにより色彩性および装飾性の高いものを得ることができる。
【００４８】
この場合、発光素子が紫外線領域の光を発光する紫外線発光素子であり、多色フィルタ部材が、複数の照射領域ごとにそれぞれ紫外線領域の光に反応して異なる色の光を発光する複数の発光部を備えていることにより、紫外線発光素子を発光させて紫外線領域の光を多色フィルタ部材の複数の発光部のいずれかに照射させると、その照射された領域の発光部が紫外線領域の光に反応して特定色の光つまり特定波長の光を発光するので、この発光した特定色の光で照明することができると共に、移動機構によって多色フィルタ部材を移動させることにより、発光素子からの光が多色フィルタ部材の他の照射領域の発光部に照射され、この発光部が紫外線領域の光に反応して上記と異なる色の光を発光するので、この異なる色の光で照明することができる。
【００４９】
特に、多色フィルタ部材が、紫外線領域の光に反応してそれぞれ異なる色の光を発光する複数の発光部のほかに、紫外線領域の光をそのまま透過する光透過部を備え、多色フィルタ部材の光放出側に、紫外線領域の光に反応して可視光線領域内の光を発光する表示発光部を備えた表示部材が配置されていることにより、上記と同様の作用効果があるほか、移動機構により多色フィルタ部材を移動させて、紫外線発光素子からの紫外線領域の光を多色フィルタ部材の光透過部に照射させると、この光透過部を紫外線領域の光がそのまま透過して表示部材に照射されるので、この表示部材に設けられた表示発光部が紫外線領域の光に反応して可視光線領域の光を発光し、これにより表示部材の表示発光部のみを発光させることができる。
【００５０】
また、多色フィルタ部材がリング状に形成されていることにより、この多色フィルタ部材を移動機構で移動させるときに、多色フィルタ部材の中心部を中心に回転移動させることができ、このため多色フィルタ部材の各照射領域を同じ移動軌跡上で移動させることができ、これにより多色フィルタ部材および発光素子をコンパクトに設置することができる。
この場合、移動機構が、多色フィルタ部材の外周に沿って設けられたリング状の歯車部と、この歯車部に噛み合って回転する小歯車が設けられた回転操作子とを備えていることにより、回転操作子を回転操作して小歯車を回転させると、この小歯車の回転に伴って歯車部が回転移動して多色フィルタ部材を回転移動させることができ、これにより容易に照明光の色を選択することができる。
【００５１】
また、移動機構が、リング状の回転体と、この回転体と多色フィルタ部材とを磁力によって互いに引き寄せ合う磁性部材とを備えていることにより、回転体と多色フィルタ部材とが接触せずに互いに離れていても、回転体を回転操作すると、その回転体の回転に伴って多色フィルタ部材を磁力によって回転移動させることができ、これにより容易に照明光の色を選択することができる。
さらに、移動機構が、多色フィルタ部材の下面に設けられた超音波モータを備えていることにより、この超音波モータを駆動することにより多色フィルタ部材を回転移動させることができ、これにより容易に照明光の色を選択することができる。
【図面の簡単な説明】
【図１】この発明を指針式の腕時計に適用した第１実施形態における要部の正面図。
【図２】図１のＡ−Ａ矢視における拡大断面図。
【図３】図２に示された多色照明装置を原理的に示した正面図。
【図４】図３の多色照明装置を示し、（ａ）はその手前側から見た側面図、（ｂ）はその右側から見た側面図。
【図５】図３に示された多色照明装置の移動機構を原理的に示した底面図。
【図６】この発明に係る多色照明装置の移動機構の第１変形例を原理的に示した図。
【図７】この発明に係る多色照明装置の移動機構の第２変形例を原理的に示した図。
【図８】この発明をデジタル式の腕時計に適用した第２実施形態における要部の正面図。
【図９】図８のＢ−Ｂ矢視における拡大断面図。
【図１０】この発明を携帯電話機に適用した第３実施形態の斜視図。
【図１１】図１０のＣ−Ｃ矢視における拡大断面図。
【符号の説明】
１  腕時計ケース
２  回転ベゼル
３  時計ガラス
４、３０  時計モジュール
５、４７  多色照明装置
８  リューズ
１１  文字板
１２  指針
１４  表示発光部
１５  紫外線発光素子
１６  多色フィルタ部材
１６ａ〜１６ｄ  発光部
１６ｅ  光透過部
１７、２０、２５  移動機構
１８  歯車部
１９  小歯車
２１  磁石
２２  磁性材
２６  超音波モータ
３１  液晶表示素子
４０  機器ケース
４３  保護ガラス
４６  モジュール
【図１】
2004184196.tif 000003
【図２】
2004184196.tif 000004
【図３】
2004184196.tif 000005
【図４】
2004184196.tif 000006
【図５】
2004184196.tif 000007
【図６】
2004184196.tif 000008
【図７】
2004184196.tif 000009
【図８】
2004184196.tif 000010
【図９】
2004184196.tif 000011
【図１０】
2004184196.tif 000012
【図１１】
2004184196.tif 000013